(57)【要約】【目的】  シロアリの発生を検知したとき直ちに具体的なシロアリ駆除の処置に結び付けることができ、しかも、将来のシロアリの発生状況に即した妥当なシロアリ防除処置を容易に策定・実施することができる、シロアリ検知通報システムを提供する。【構成】  各ユーザーの建物毎にその周囲の複数箇所の地中にそれぞれ埋設された複数のシロアリセンサと、前記複数のシロアリセンサからの各シロアリ検知信号を受信するためのシロアリ検知信号受信手段と、前記シロアリ検知信号を受信したときシロアリ通報信号をセンター側に送信するためのシロアリ通報手段と、センター側に備えられ、前記シロアリ通報手段からのシロアリ通報信号を受信したときその受信した日時を前記シロアリ通報手段が配置されている前記ユーザー又はその建物に関する住所などの情報と対応させて記録するためのシロアリ発生状況記録手段とを備えたシロアリ検知通報システムである。【選択図】    図１
2008161130.tif 000002
【特許請求の範囲】
【請求項１】
各ユーザーの建物毎にその周囲の複数箇所の地中にそれぞれ埋設され、シロアリの存在を検知したときシロアリ検知信号を出力するための複数のシロアリセンサと、
前記各ユーザーの建物毎に配置され、前記複数のシロアリセンサからの各シロアリ検知信号を受信するためのシロアリ検知信号受信手段と、
前記各ユーザーの建物毎に配置され、前記シロアリ検知信号受信手段が前記シロアリ検知信号を受信したとき、それに基づいて直ちに、シロアリ通報信号をセンター側に送信するためのシロアリ通報手段と、
センター側に備えられ、複数のユーザーに関するシロアリの発生を記録するためのシロアリ発生記録手段であって、前記シロアリ通報手段からのシロアリ通報信号を受信したとき、その受信した日時を前記シロアリ通報手段が配置されている前記ユーザー又はその建物に関する住所などの情報と対応させて記録するためのシロアリ発生状況記録手段と、
を備えたことを特徴とするシロアリ検知通報システム。
【請求項２】
請求項１において、
前記シロアリ検知信号受信手段は、前記複数のシロアリセンサの中のいずれからシロアリ検知信号が発せられたかを認識できるように構成されており、且つ、そのことを告知するための告知手段を備えており、
前記シロアリ通報手段は、前記シロアリ検知信号を発したシロアリセンサが前記複数のシロアリセンサの中のいずれのシロアリセンサかを示す信号を、前記シロアリ通報信号と共にセンター側に送信するものである、ことを特徴とするシロアリ検知通報システム。
【請求項３】
請求項１又は２において、
地図データを記録しておくための地図データ記録手段と、
前記地図データ記録手段からの地図データを画面に表示するための表示手段と、
前記シロアリ発生状況記録手段からのデータと前記地図データ記録手段からのデータとに基づいて、前記表示手段により表示される地図画面上で、所定のエリア内においてシロアリが発生した複数の場所をそれぞれ所定の図形又は画像で表示させるためのシロアリ発生分布表示制御手段と、
を備えたことを特徴とするシロアリ検知通報システム。
【請求項４】
請求項１又は２において、
地図データを記録しておくための地図データ記録手段と、
前記地図データ記録手段からの地図データを画面に表示するための表示手段と、
前記シロアリ発生状況記録手段からのデータと前記地図データ記録手段からのデータとに基づいて、前記表示手段により表示される地図画面上で、所定のエリア内においてシロアリが発生した複数の場所をそれぞれ、所定の図形又は画像を使用して、シロアリが発生した時期別に色別表示させるためのシロアリ発生時期色別表示制御手段と、
を備えたことを特徴とするシロアリ検知通報システム。
【請求項５】
請求項１又は２において、
前記シロアリ発生状況記録手段は、シロアリが発生したき、そのシロアリの種類をも記録するものであり、
地図データを記録しておくための地図データ記録手段と、
前記地図データ記録手段からの地図データを画面に表示するための表示手段と、
前記シロアリ発生状況記録手段からのデータと前記地図データ記録手段からのデータとに基づいて、前記表示手段により表示される地図画面上で、所定のエリア内においてシロアリが発生した複数の場所をそれぞれ、所定の図形又は画像を使用して、発生したシロアリの種類別に色別表示させるためのシロアリ発生種類色別表示制御手段と、
を備えたことを特徴とするシロアリ検知通報システム。
【請求項６】
請求項１又は２において、
前記シロアリ発生状況記録手段は、シロアリが発生したき、そのシロアリの種類をも記録するものであり、
地図データを記録しておくための地図データ記録手段と、
前記地図データ記録手段からの地図データを画面に表示するための表示手段と、
前記シロアリ発生状況記録手段からのデータと前記地図データ記録手段からのデータとに基づいて、前記表示手段により表示される地図画面上で、所定のエリア内においてシロアリが発生した複数の場所をそれぞれ、所定の図形又は画像を使用して、シロアリが発生した時期別に色別表示させると共に、発生したシロアリの種類別に色別表示させるための、シロアリ発生時期・種類色別表示制御手段と、
を備えたことを特徴とするシロアリ検知通報システム。
【請求項７】
請求項１から６までのいずれかにおいて、
前記シロアリセンサは、地表に露出されたアンテナ部と、シロアリの存在を検知したとき前記アンテナ部から前記シロアリ検知信号を電波により無線で発信するための無線発信部と、を備えていることを特徴とするシロアリ検知通報システム。
【請求項８】
請求項１から７までのいずれかにおいて、
前記シロアリセンサは、シロアリを誘引する木材と、シロアリが食する発泡スチロール製、木材製、又は紙製の棒状支持部と、前記棒状支持部により位置が固定されており前記棒状支持部の少なくとも一部がシロアリに食されたときに位置が移動するように構成された可動部と、前記可動部の移動を検出するための移動検出部と、から構成されていることを特徴とするシロアリ検知通報システム。
【請求項９】
請求項１から８までのいずれかにおいて、
前記複数のシロアリセンサは、それぞれが互いに識別可能な識別データを保有しており、且つ、前記シロアリ検知信号を送信するとき自らの識別データと一緒に送信するものであり、
前記シロアリ通報手段は、前記シロアリ通報信号を送信するとき、前記シロアリ検知信号を送信して来たシロアリセンサの識別データを一緒にセンター側に送信するものであり、
前記シロアリ発生状況記録手段は、前記シリアリ通報信号を受信したとき、その日時と前記シロアリ検知信号を送信して来たシロアリセンサの識別データとを、前記各ユーザー又はその建物に関する住所などの情報と対応させて記録するものである、ことを特徴とするシロアリ検知通報システム。
【請求項１０】
請求項１から８までのいずれかにおいて、
前記複数のシロアリセンサは、それぞれが互いに識別可能な識別データを保有していると共に、自らの方位もしくは位置を特定できるように配置されており、且つ、前記シロアリ検知信号を送信するとき自らの識別データと一緒に送信するものであり、
前記シロアリ通報手段は、前記シロアリ通報信号を送信するとき、前記シロアリ検知信号を送信して来たシロアリセンサの識別データを一緒にセンター側に送信するものであり、
前記シロアリ発生状況記録手段は、前記シリアリ通報信号を受信したとき、その受信日時と前記シロアリ検知信号を送信して来たシロアリセンサの識別データとを、前記各ユーザー又はその建物に関する住所などの情報、及び、前記各シロアリセンサの方位もしくは位置をその識別データから特定するための情報と対応させて記録するものである、
ことを特徴とするシロアリ検知通報システム。
【発明の詳細な説明】
【技術分野】
【０００１】
本発明は、シロアリの発生を検知し通報するためのシステムに関する。
【背景技術】
【０００２】
従来より、シロアリの活動を検出するための装置が提案されている。例えば、特許文献１は、一般のユーザー宅の地中に埋め込む筒形ハウジングとその内部に収容するシロアリ誘引用材と紙製心棒とコイルバネと検知棒と固定具とから成り、シロアリの食害によって前記心棒が切断されたとき前記コイルバネの力により前記検知棒が地上に突出するように構成したシロアリ探知器を提案している。
【特許文献１】特開２００６−３４２０７号公報
【発明の開示】
【発明が解決しようとする課題】
【０００３】
しかしながら、前記特許文献１のシロアリ検知器は、単に、一般のユーザー宅において、シロアリによる食害が発生したときに、前記検知棒を地中から地上に突出させるようにしたというだけのものなので、シロアリに関して特別な興味も専門知識も有していない一般のユーザーは、もし自宅敷地内で前記検知棒が地上から突出した状態になっていたとしても、それを見過ごしたままにしてしまう可能性が高いため、現実には、具体的なシロアリ駆除になかなか結び付かないという問題がある。
【０００４】
本発明はこのような従来技術の問題点に着目してなされたものであって、シロアリの発生を検知したとき直ちに具体的なシロアリ駆除の処置に結び付けることができ、しかも、現在又は将来のシロアリの発生状況に即した妥当なシロアリ防除処置を容易に策定・実施することができる、シロアリ検知通報システムを提供することを目的とする。
【課題を解決するための手段】
【０００５】
以上のような課題を解決するための本発明によるシロアリ検知通報システムは、各ユーザーの建物毎にその周囲の複数箇所の地中にそれぞれ埋設され、シロアリの存在を検知したときシロアリ検知信号を出力するための複数のシロアリセンサと、前記各ユーザーの建物毎に配置され、前記複数のシロアリセンサからの各シロアリ検知信号を受信するためのシロアリ検知信号受信手段と、前記各ユーザーの建物毎に配置され、前記シロアリ検知信号受信手段が前記シロアリ検知信号を受信したとき、それに基づいて直ちに、シロアリ通報信号をセンター側に送信するためのシロアリ通報手段と、センター側に備えられ、複数のユーザーに関するシロアリの発生を記録するためのシロアリ発生記録手段であって、前記シロアリ通報手段からのシロアリ通報信号を受信したとき、その受信した日時を前記シロアリ通報手段が配置されている前記ユーザー又はその建物に関する住所などの情報と対応させて記録するためのシロアリ発生状況記録手段と、を備えたことを特徴とするものである。
【０００６】
また、本発明によるシロアリ検知通報システムにおいては、前記シロアリ検知信号受信手段は、前記複数のシロアリセンサのいずれからシロアリ検知信号が発せられたかを認識できるように構成されており、且つ、そのことをユーザー側やセンター側の職員に告知するための告知手段を備えており、前記シロアリ通報手段は、前記シロアリ検知信号を発したシロアリセンサが前記複数のシロアリセンサの中のいずれのシロアリセンサかを示す信号を、前記シロアリ通報信号と共にセンター側に送信するものである、ことが望ましい。
【０００７】
また、本発明によるシロアリ検知通報システムにおいては、地図データを記録しておくための地図データ記録手段と、前記地図データ記録手段からの地図データを画面に表示するための表示手段と、前記シロアリ発生状況記録手段からのデータと前記地図データ記録手段からのデータとに基づいて、前記表示手段により表示される地図画面上で、所定のエリア内においてシロアリが発生した複数の場所をそれぞれ所定の図形又は画像で表示させるためのシロアリ発生分布表示制御手段と、を備えることが望ましい。
【０００８】
また、本発明によるシロアリ検知通報システムにおいては、地図データを記録しておくための地図データ記録手段と、前記地図データ記録手段からの地図データを画面に表示するための表示手段と、前記シロアリ発生状況記録手段からのデータと前記地図データ記録手段からのデータとに基づいて、前記表示手段により表示される地図画面上で、所定のエリア内においてシロアリが発生した複数の場所をそれぞれ、所定の図形又は画像を使用して、シロアリが発生した時期別に色別表示させるためのシロアリ発生時期色別表示制御手段と、を備えることが望ましい。
【０００９】
また、本発明によるシロアリ検知通報システムにおいては、前記シロアリ発生状況記録手段は、シロアリが発生したき、そのシロアリの種類をも記録するものであり、地図データを記録しておくための地図データ記録手段と、前記地図データ記録手段からの地図データを画面に表示するための表示手段と、前記シロアリ発生状況記録手段からのデータと前記地図データ記録手段からのデータとに基づいて、前記表示手段により表示される地図画面上で、所定のエリア内においてシロアリが発生した複数の場所をそれぞれ、所定の図形又は画像を使用して、発生したシロアリの種類別に色別表示させるためのシロアリ発生種類色別表示制御手段と、を備えることが望ましい。
【００１０】
また、本発明によるシロアリ検知通報システムにおいては、前記シロアリ発生状況記録手段は、シロアリが発生したき、そのシロアリの種類をも記録するものであり、地図データを記録しておくための地図データ記録手段と、前記地図データ記録手段からの地図データを画面に表示するための表示手段と、前記シロアリ発生状況記録手段からのデータと前記地図データ記録手段からのデータとに基づいて、前記表示手段により表示される地図画面上で、所定のエリア内においてシロアリが発生した複数の場所をそれぞれ、所定の図形又は画像を使用して、シロアリが発生した時期別に色別表示させると共に、発生したシロアリの種類別に色別表示させるための、シロアリ発生時期・種類色別表示制御手段と、を備えることが望ましい。
【００１１】
また、本発明によるシロアリ検知通報システムにおいては、前記シロアリセンサは、地表に露出されたアンテナ部と、シロアリの存在を検知したとき前記アンテナ部から前記シロアリ検知信号を電波により無線で発信するための無線発信部と、を備えていることが望ましい。
【００１２】
また、本発明によるシロアリ検知通報システムにおいては、前記シロアリセンサは、シロアリを誘引する木材と、シロアリが食する発泡スチロール製、木材製、又は紙製の棒状支持部と、前記棒状支持部により位置が固定されており前記棒状支持部の少なくとも一部がシロアリに食されたときに位置が移動するように構成された可動部と、前記可動部の移動を検出するための移動検出部と、から構成されていることが望ましい。
【００１３】
また、本発明によるシロアリ検知通報システムにおいては、前記複数のシロアリセンサは、それぞれが互いに識別可能な識別データを保有しており、且つ、前記シロアリ検知信号を送信するとき自らの識別データと一緒に送信するものであり、前記シロアリ通報手段は、前記シロアリ通報信号を送信するとき、前記シロアリ検知信号を送信して来たシロアリセンサの識別データを一緒にセンター側に送信するものであり、前記シロアリ発生状況記録手段は、前記シリアリ通報信号を受信したとき、その日時と前記シロアリ検知信号を送信して来たシロアリセンサの識別データとを、前記各ユーザー又はその建物に関する住所などの情報と対応させて記録するものである、ことが望ましい。
【００１４】
さらに、本発明によるシロアリ検知通報システムにおいては、前記複数のシロアリセンサは、それぞれが互いに識別可能な識別データを保有していると共に、自らの方位もしくは位置（自らの絶対方位もしくは絶対位置又は自らの前記ユーザーの建物に対する相対方位もしくは相対位置）を特定できるように配置されており、且つ、前記シロアリ検知信号を送信するとき自らの識別データと一緒に送信するものであり、前記シロアリ通報手段は、前記シロアリ通報信号を送信するとき、前記シロアリ検知信号を送信して来たシロアリセンサの識別データを一緒にセンター側に送信するものであり、前記シロアリ発生状況記録手段は、前記シリアリ通報信号を受信したとき、その受信日時と前記シロアリ検知信号を送信して来たシロアリセンサの識別データとを、前記各ユーザー又はその建物に関する住所などの情報、及び、前記各シロアリセンサの方位もしくは位置をその識別データから特定するための情報と対応させて記録するものである、ことが望ましい。
【発明の効果】
【００１５】
本発明においては、各ユーザー宅内の複数のシロアリセンサの少なくとも一つがシロアリの発生を検知すると、直ちに、その検知信号に基づいて、前記シロアリ通報手段が、前記センター側にシロアリ通報信号を送信し、その送信日時（＝シロアリ発生日時）が前記シロアリ発生状況記録手段に記録される。よって、本発明によれば、各ユーザー宅内でシロアリの発生が検知されると、直ちに、前記シロアリ通報信号がセンター側に受信され、その受信日時（＝シロアリ発生日時）がセンター側で記録されるので、センター側の職員は、そのシロアリ発生日時とその発生したユーザー宅を直ちに把握して、そのユーザー宅を直ちに訪問して必要なシロアリの駆除や予防の処置を行えるようになる。
【００１６】
また、本発明においては、前記複数のシロアリセンサのいずれかのシロアリセンサからのシロアリ検知信号を受信するとき、どのシロアリセンサからシロアリ検知信号が発信されたのかをシロアリ検知信号受信手段が認識できるように構成し、且つ、「どのシロアリセンサからシロアリ検知信号が発信されたのか」をユーザー側やセンター側の職員に告知するようにしている。よって、本発明によれば、センター側の職員は、ユーザー宅を訪問したとき、そのユーザー宅内のどの場所にシロアリが発生したかというピンポイント的な場所（シロアリ検知信号を発信したシロアリセンサが埋め込まれている場所）をも直ちに把握して、そのピンポイント的な発生場所に対して、効果的に、シロアリ駆除や予防の処置を行うことができるようになる。また、本発明によれば、前記複数のシロアリセンサの中の例えば２〜３個のシロアリセンサがほぼ同時にシロアリ被害に遭った場合でも、そのこと（２〜３個のシロアリセンサがほぼ同時にシロアリ被害に遭ったこと）やその２〜３個のシロアリセンサがどのシロアリセンサかを、前記告知手段の告知内容を見ることにより把握することができる。
【００１７】
また、本発明においては、さらに、前記シロアリ通報手段が、前記シロアリ検知信号を発したシロアリセンサが前記複数のシロアリセンサの中のいずれのシロアリセンサであるかを示す信号をも、前記シロアリ通報信号と共にセンター側に送信するようにしている。よって、本発明によれば、センター側の職員は、ユーザー宅を訪問する前でも、センター側で、直ちに、そのユーザー宅内のどの場所にシロアリが発生したかというピンポイント的な場所（シロアリ検知信号を発信したシロアリセンサが埋め込まれた場所）をも把握して、例えばユーザー側にそのことを連絡するなどの処置を採ることができるようになる。また、本発明によれば、前記複数のシロアリセンサの中の例えば２〜３個のシロアリセンサがほぼ同時にシロアリ被害に遭った場合でも、そのこと（２〜３個のシロアリセンサがほぼ同時にシロアリ被害に遭ったこと）やその２〜３個のシロアリセンサがどのシロアリセンサであるかを、ユーザー宅に行く前に、センター側で把握することができる。
【００１８】
また、本発明においては、地図データと前記シロアリ発生状況記録手段からのデータとに基づいて、地図画面上で、所定のエリア内においてシロアリが発生した複数の場所をそれぞれ所定の図形又は画像で表示できるようにしている。よって、本発明によれば、センター側の職員やユーザーは、所定のエリアの地図画面上で、そのエリア内の何処でどれだけシロアリが発生しているかを示す分布を表示させながら、効果的にシロアリ駆除の予防策や駆除策を検討できるようになる。
【００１９】
また、本発明においては、地図データと前記シロアリ発生状況記録手段からのデータとに基づいて、地図画面上で、所定のエリア内においてシロアリが発生した複数の場所をそれぞれ、所定の図形又は画像を使用して、シロアリが発生した時期（年代や季節など）別に色別しながら表示できるようにしている。よって、本発明によれば、センター側の職員やユーザーは、所定のエリアの地図画面上で、そのエリア内の何処でどれだけシロアリが発生しているか、さらに、過去から現在にかけてシロアリの発生分布が時期的にどのように推移しているかを、色別に表示させながら、効果的にシロアリ駆除の予防策や駆除策を検討できるようになる。
【００２０】
また、本発明においては、地図データと前記シロアリ発生状況記録手段からのデータとに基づいて、地図画面上で、所定のエリア内においてシロアリが発生した複数の場所をそれぞれ、所定の図形又は画像を使用して、発生したシロアリの種類別に色別しながら、表示できるようにしている。よって、本発明によれば、センター側の職員やユーザーは、所定のエリアの地図画面上で、そのエリア内の何処でどれだけシロアリが発生しているか、さらに、数種類のシロアリの中でどの種類のシロアリが何処にどれだけ発生しているかを、色別に表示させながら、効果的にシロアリ駆除の予防策や駆除策を検討できるようになる。
【００２１】
また、本発明においては、地図データと前記シロアリ発生状況記録手段からのデータとに基づいて、地図画面上で、所定のエリア内においてシロアリが発生した複数の場所をそれぞれ、所定の図形又は画像を使用して、シロアリが発生した時期（年代や季節など）別に色別しながら、且つ、発生したシロアリの種類別に色別しながら、表示できるようにしている。よって、本発明によれば、センター側の職員やユーザーは、所定のエリアの地図画面上で、そのエリア内の何処でどれだけシロアリが発生しているか、過去から現在にかけてシロアリの発生分布が時期的にどのように推移しているか、及び、数種類のシロアリの中でどの種類のシロアリが何処にどれだけ発生しているかを、色別に表示させながら、効果的にシロアリ駆除の予防策や駆除策を検討できるようになる。
【００２２】
また、本発明において、前記シロアリセンサを、地表に露出されたアンテナ部を備え、前記シロアリ検知信号を前記アンテナ部から電波により無線で発信するように構成したときは、前記シロアリ検知信号受信手段がユーザーの建物内に配置され、前記シロアリセンサとの間にケーブルを配置し難い障害物などが存在するような場合でも、容易に前記シロアリ検知信号受信手段と前記シロアリセンサとの電気的接続を実現することができる。
【００２３】
さらに、本発明において、前記シロアリセンサを、シロアリを誘引する木材と、シロアリが食する発泡スチロール製、木材製、又は紙製の棒状支持部と、前記棒状支持部により位置が固定されており前記棒状支持部の少なくとも一部がシロアリに食されたときに位置が移動するように構成された可動部と、前記可動部の移動を検出するための移動検出部（例えば発光素子と受光素子との組み合わせで、前記可動部の移動により前記発光素子からの光を前記受光素子が検出できるように又は検出できないようにするもの）とを備えるようにしたときは、地中においても長期間安定的に前記シロアリの食害を正確に検知できるようになる。
【００２４】
また、本発明において、前記シロアリセンサからシロアリ検知信号が送信されるとき、そのシロアリセンサの識別データも一緒に送信され、且つ、前記シロアリ通報手段からシロアリ通報信号が送信されるときも、このシロアリセンサの識別データが一緒にセンター側に送信されるようにしたときは、各ユーザー宅内でシロアリの発生が検知されると、前記シロアリ通報信号と共にシロアリ発生を検知したシロアリセンサの識別データもセンター側に受信・記録されるので、センター側の職員は、そのシロアリ発生日時とその発生したユーザー宅の情報だけでなく、そのユーザー宅内のどの場所（前記識別データに対応するシロアリセンサの埋め込み場所）にシロアリが発生したかというピンポイント的な場所の情報をも直ちに把握して、そのピンポイント的な発生場所（前記識別データに対応するシロアリセンサの埋め込み場所）に対して、効率的に、シロアリ駆除や予防の処置を行うことができるようになる。
【００２５】
また、本発明において、前記シロアリセンサからシロアリ検知信号が送信されるとき、そのシロアリセンサの識別データも一緒に送信され、且つ、前記シロアリ通報手段からシロアリ通報信号が送信されるときも、このシロアリセンサの識別データが一緒にセンター側に送信されるようにした（さらに、前記シロアリ発生状況記録手段は、前記シリアリ通報信号を受信したとき、その受信日時と前記シロアリ検知信号を送信して来たシロアリセンサの識別データとを、前記各ユーザー又はその建物に関する住所などの情報、及び、前記各シロアリセンサの方位もしくは位置をその識別データから特定するための情報と対応させて記録するようにした）ときは、各ユーザー宅内でシロアリの発生が検知されると、前記シロアリ通報信号と共にシロアリ発生を検知したシロアリセンサの識別データもセンター側に受信・記録されるので、センター側では、前記識別データに基づいて前記シロアリ検知信号を送信して来たシロアリセンサの方位又は位置を特定することができるので、センター側の職員は、そのシロアリ発生日時とその発生したユーザー宅の情報だけでなく、そのユーザー宅内のどの場所（前記識別データに対応するシロアリセンサの埋め込み場所）にシロアリが発生したかというピンポイント的な場所の方位又は位置の情報をも直ちに把握し、その把握したピンポイント的な発生場所（前記識別データに対応するシロアリセンサの埋め込み場所）に、前記方位又は位置の情報に基づいて駆け付けて、効率的に、シロアリ駆除の処置を行うことができるようになる。
【発明を実施するための最良の形態】
【００２６】
本発明を実施するための最良の形態は、以下の実施例１について述べるような形態である。
【実施例１】
【００２７】
図１は、本発明の実施例１によるシロアリ検知通報システムの全体構成を示す概略ブロックである。図１において、１はシロアリ防除サービス会社の顧客であるユーザー側を示すブロック、２はシロアリ防除サービス会社が管理するセンター側を示すブロック、３は両者を電気的に接続する電話線、である。
【００２８】
また、図１において、４はユーザーの建物、ａ〜ｌは前記建物４の周囲に例えば約３ｍピッチで、例えば建物から約３０〜１００ｃｍくらい離れた位置の地中に埋設されるシロアリセンサ（構造は後述する）、である。また、５は、ユーザーの建物４の外壁又はその近傍に設置され、前記各シロアリセンサａ〜ｌとそれぞれ並列に接続されている送信部であって、前記各シロアリセンサａ〜ｌのいずれかにシロアリ被害が発生したことを検知してシロアリ検知信号（シロアリ被害が発生したのが前記各シロアリセンサａ〜ｌの中のどれかを示す信号をも含む）を外部に電波で無線送信（又は有線送信）するための送信部、６は前記各シロアリセンサａ〜ｌを前記送信部５に並列に接続するためのバスライン、である。また、８は、ユーザーの建物４内に配置され、前記送信部５から送信（無線送信でも有線送信でもよい）されるシロアリ検知信号を受信し、これに基づいてシロアリ通報信号（シロアリ被害が発生したのが前記各シロアリセンサａ〜ｌの中のどれかを示す信号をも含む）をセンター側２に送信するための受信機付き自動ダイヤラー、である。
【００２９】
また、図１において、１１は前記ユーザー側１とは遠隔のセンター側２に備えられ、前記電話線３に接続されるＣＴＩ（Ｃｏｌｐｕｔｅｒ  Ｔｅｌｅｐｈｏｎｙ  Ｉｎｔｅｇｒａｔｉｏｎ）アダプタ、１２は前記ＣＴＩアダプタ１１に接続された電話機、１３は前記ＣＴＩアダプタ１１からの信号を受信して電話自動受付を行うためのＣＴＩ電話自動受付部、１４は前記ＣＴＩ電話自動受付部１３からのデータ（シロアリ被害が発生したユーザーの情報、シロアリ被害が発生したのがユーザー宅の各シロアリセンサａ〜ｌの中のどれかを示す情報をも含む）を受けて後述の顧客データベースに前記データを記録するなどのデータベース管理を行うためのデータベース管理部、である。なお、前記ＣＴＩ電話自動受付部１３とデータベース管理部１４は、ハードウェアとしてはパソコン又はサーバーにより構成されている。
【００３０】
また、図１において、１５は前記データベース管理部１４との間で必要な情報の入力や出力を行うための入出力部、１６は少なくとも前記センター側２及びユーザー側１の周辺を含む広域エリアを地図データを記録しておくための地図データベース、である。また、１７は、前記シロアリ防除サービス会社の顧客である多数のユーザーのそれぞれに対応して、その氏名、ユーザー宅の住所、ユーザー宅の（地図上の）位置座標データ、電話番号、シロアリ検知信号受信日時、各シロアリ通報信号のセンター側２による受信の履歴を示す履歴番号、発生したシロアリの種類、シロアリ被害が発生したのがユーザー宅の各シロアリセンサａ〜ｌの中のどのシロアリセンサか、などの情報を、記録・蓄積しておくための顧客（及びシロアリ発生履歴）データベース、である。前記顧客データベース１７の各項目の中で、前記の各ユーザーの氏名、住所、位置座標データ、及び電話番号は、予めセンター側２で入力しておく。また、前記各項目の中で、前記のシロアリ検知信号受信日時、各シロアリ通報信号のセンター側２による受信の履歴を示す履歴番号、及び、シロアリ被害が発生したのがユーザー宅の各シロアリセンサａ〜ｌの中のどれかを示す情報は、前記ユーザー側１からのシロアリ通報信号（及び、シロアリ被害が発生したのがユーザー宅の各シロアリセンサａ〜ｌの中のどれかを示す信号）を受信したときに記録される。また、前記各項目の中で、発生したシロアリの種類は、ユーザー側１からのシロアリ通報信号を受信してセンター側２の職員がユーザー宅を訪問してシロアリの種類を調べたとき、その後、前記職員が前記入出力部１５から入力することなどにより記録される。
【００３１】
また、図２（ａ）は本実施例１によるシロアリセンサａ〜ｌの構成を説明するための中央断面図である。図２（ａ）において、２１は例えばプラスチック製のケース、２２は前記ケース２１の蓋体、２３は前記ケース２１内に収容される例えば発泡スチロール製の棒状の芯材、２４ａは前記芯材２３の図示上方部分の外周に固定部材２５ａにより固定・配置されている松などの木材から成る略筒状の上側支持部、２４ｂは前記芯材２３の図示下方部分の外周に固定部材２５ｂにより固定・配置されている松などの木材から成る略筒状の下側支持部であって前記ケース２１の内側底面２１ａに接着剤などで固定されている下側支持部、２６は前記上側支持部２４ａと前記下側支持部２４ｂとの間に前記ケース２１に固定されていない側の上側支持部２４ａを図示上方に付勢するように配置されたスプリング、２７は前記蓋体２２の底面２２ａに固定された発光素子と受光素子より成る光検知部、２８は前記光検知部２７の発光素子と受光素子との間を遮断する上方位置と遮断しない下方位置との間を移動可能なように図示α方向に回動可能に前記蓋体２２の底面２２ａに接続された遮蔽板、２９は前記遮蔽板２８を前記蓋体２２の底面２２ａに接続するための接続部、である。
【００３２】
図２（ａ）に示す前記シロアリセンサにおいては、前記上側支持部２４ａは、前記下側支持部２４ｂ（前記ケース２１の底部２１ａに固定されている）に対して前記芯材２３を介して固定されている。よって、前記上側支持部２４ａは、もし前記芯材２３がシロアリに食されるなどして破壊された場合は、前記スプリング２６の力により、前記下側支持部２４ｂから離れる図示上方向に向かって移動することになる。すなわち、図２（ａ）に示すシロアリセンサにおいては、前記上側支持部２４ａが、前記芯材２３がシロアリにより食された場合に図示上方に移動する可動部となっている。
【００３３】
よって、図２（ａ）の状態から、シロアリが前記松などにより形成された上側支持部２４ａ又は下側支持部２４ｂに誘引されて前記芯材２３を食して前記芯材２３が破壊されたときは、前記スプリング２６の力により、前記上側支持部２４ａが図示上方に移動してその上端面２４ｃが前記遮蔽板２８を図示上方に回動させ、その結果、前記光検知器２７の発光素子と受光素子との間が遮断される（図２（ｂ）に示す状態）。このように、本実施例１のシロアリセンサａ〜ｌは、シロアリが前記芯材２３を食したとき、前記光検知器２７から所定の信号が前記送信部５（図１参照）に送信されるように構成されている。
【００３４】
また、本実施例１の送信部５の機能の一つを説明する。本実施例１において、前記各シロアリセンサａ〜ｌのいずれかにシロアリ被害が発生して前記芯材２３が食されて破壊されると、前記光検知器２７の発光素子と受光素子との間が遮断され、そのことを示す信号が前記送信部５に送信される。前述のように、前記各シロアリセンサａ〜ｌと前記送信部５とはバスライン６により並列接続されているので、前記送信部５は、前記各シロアリセンサａ〜ｌのどのシロアリセンサから前記信号が発せられたかを認識できるようになっている。そして、前記送信部５の内部には、前記各シロアリセンサａ〜ｌにそれぞれ対応するＬＥＤ（発光ダイオード）を並べた基板が配置されており、前記各シロアリセンサａ〜ｌのいずれか（複数もありえる）から前記信号が発せられたとき、その信号を発したシロアリセンサに対応するＬＥＤ（複数もありえる）が点灯するようになっている。図３はこのＬＥＤの点灯状態の一例を示す図である。図３の例では、前記シロアリセンサａ〜ｌの中のシロアリセンサｃにシロアリが発生して前記信号が発せられた場合、前記シロアリセンサｃに対応するＬＥＤが点灯している。よって、センター側の職員は、ユーザー宅を訪問したとき、前記送信機（ボックス状）５の蓋を開けて内部のＬＥＤが配置された基板を視認することにより、前記シロアリセンサａ〜ｌの中のどのシロアリセンサにシロアリが発生したのかを直ちに把握して、必要な処置を採ることができる。
【００３５】
次に、本実施例１による全体的な動作を説明する。前述のように、ユーザー側１の建物４の周囲に埋設された複数のシロアリセンサａ〜ｌのいずれかにシロアリが発生して前記芯材２３（図２参照）が食された場合、そのことを示す信号がそのシロアリセンサから前記送信部５にバスライン６を介して送信される。送信部５では、この信号を受けて、その信号を発したシロアリセンサに対応するＬＥＤを点灯させる（図３参照）。また、これと共に、前記送信部５は、シロアリ検知信号（及び、シロアリ被害が発生したのがユーザー宅の各シロアリセンサａ〜ｌの中のどれかを示す信号）を、ユーザーの建物４内の自動ダイヤラー８に無線送信する。自動ダイヤラー８は、前記シロアリ検知信号を受信すると、直ちに、センター側２宛てに自動ダイアルして、シロアリ通報信号（及び、シロアリ被害が発生したのがユーザー宅の各シロアリセンサａ〜ｌの中のどれかを示す信号）を送信する。
【００３６】
センター側２では、前記自動ダイヤラー８からの信号をＣＴＩアダプタ１１を介してＣＴＩ電話自動受付部１３が受信して、発呼元の電話番号などからユーザーを特定し、そのユーザー情報など（シロアリ被害が発生したのがユーザー宅の各シロアリセンサａ〜ｌの中のどれかを示す情報をも含む）を受信日時のデータと共にデータベース管理部１４に送る。データベース管理部１４は、前記ＣＴＩ電話自動受付部１３から受信したユーザー情報と受信日時情報とシロアリ被害が発生したのがユーザー宅の各シロアリセンサａ〜ｌの中のどれかを示す情報とを、顧客データベース１７に記録する。
【００３７】
図４Ａは、このようにして作成される顧客データベース１７の出力画面の一例を示す図である。図４Ａに示すように、前記顧客データベース１７には、各ユーザー側からのシロアリ通報信号を受信した順番を示す履歴番号、受信日付、受信時間、送信してきたユーザーの電話番号、ユーザー名、住所などが記録されている。また、図４Ａには示していないが、前記顧客データベース１７には、発生したシロアリの種類、シロアリ被害が発生したのがユーザー宅の各シロアリセンサａ〜ｌの中のどれかを示す情報なども記録されている。よって、センター側の職員は、このような出力画面を見て、どのユーザー宅にシロアリが発生した状況を容易に知ることができ、直ちにユーザー宅へ訪問して必要なシロアリ防除措置を採るなどの対策を採ることができる。
【００３８】
なお、本実施例１では、前記顧客データベース１７は、各ユーザー宅の各シロアリセンサａ〜ｌの埋設場所を示す見取り図をも各ユーザーに対応させて記録している。よって、本実施例１では、図４Ａの画面から、或るユーザーを選択して、その選択したユーザー宅の各シロアリセンサａ〜ｌの埋設場所を示す見取り図を、画面に呼び出すことができる。図４Ｂは、このようにして対応する見取り図を画面に呼び出した状態を示す図である。センター側の職員は、このような見取り図を画面に表示させながら、例えば、前記顧客データベース１７に記録されている「シロアリ被害が発生したのがユーザー宅の各シロアリセンサａ〜ｌの中のどれのシロアリセンサかを示す情報」から、前記見取り図の中のシロアリ被害が発生したシロアリセンサのアイコンのみを色別表示（又は点滅表示など）させることにより、そのユーザー宅のシロアリセンサａ〜ｌの中のどのシロアリセンサにシロアリ被害が発生したのかを画面上のみで直感的に容易に知ることができる。なお、図４Ｂでは、各シロアリセンサを示すアイコンのマークの中に、ａ〜ｌ（図１参照）ではなく、１〜１５の数字を表示させた例を示している。
【００３９】
次に、前記データベース管理部１４による動作の一例を図５を参照して説明する。今、センター側の職員が、ある広域エリアの中のその年のシロアリの発生分布状況をみるための指令情報を前記入出力部１５から入力したとする。すると、前記データベース管理部１４は、前記地図データベース１６及び前記顧客データベース１７からのデータ（シロアリが発生しているユーザー宅の位置座標データなど）に基づいて、前記広域エリアの地図の画面上に、シロアリが発生したユーザー宅毎に、例えば赤色の丸印を重ね表示する。図５はこの一例を示す図で、符号３１は前記の赤色の丸印を示している。よって、センター側の職員は、この画面で、最近のシロアリの発生分布を見ながら、今後のシロアリの発生する恐れのあるエリアを予測し、そのエリア内に居住しているユーザーや住民に注意を呼びかけたり必要なシロアリ防除措置を提案することが容易にできるようになる。
【００４０】
また、次に、前記データベース管理部１４による動作の他の一例を図６を参照して説明する。今、センター側の職員が、ある広域エリアの中の現在から過去３年までのシロアリの発生分布の進行状況をみるための指令情報を前記入出力部１５から入力したとする。すると、前記データベース管理部１４は、前記地図データベース１６及び前記顧客データベース１７からのデータ（シロアリが発生しているユーザー宅の位置座標データ、シロアリ通報信号の受信日時＝発生日時データなど）に基づいて、前記広域エリアの地図の画面上に、シロアリが発生したユーザー宅毎に、例えば四角の印か丸印を、その発生日時毎に異なる色で、表示する。図６はこの一例を示す図で、符号３２は例えばその年にシロアリが発生したユーザー宅の場所を示す赤色の四角の印、符号３３は例えばその年の前年にシロアリが発生したユーザー宅の場所を示す黄色の丸印、符号３４は例えばその年の前前年にシロアリが発生したユーザー宅の場所を示す青色の丸印、である。この画面を見ると、前前年から今年にかけて、シロアリが集中的に発生している場所が図示の地図の左下のエリアから除所に右上のエリアの方向に移動していることが直感的に容易に分かる。よって、センター側の職員は、この画面を見るだけで、今後のシロアリの発生するエリアを直感的に容易に予想することができ、そのエリア内に居住しているユーザーや住民に注意を呼びかけたり必要なシロアリ防除措置を提案することが容易にできるようになる。
【００４１】
また、次に、前記データベース管理部１４による動作のさらに他の一例を図７を参照して説明する。今、センター側の職員が、ある広域エリアの中の現在から過去３年までのシロアリの発生分布をそのシロアリの種類別にみるための指令情報を前記入出力部１５から入力したとする（なお、シロアリは、現在、世界では多数の種類が確認されているが、日本国内に生存して住宅に被害を及ぼす主なシロアリは約５種類くらいとされている）。すると、前記データベース管理部１４は、前記地図データベース１６及び前記顧客データベース１７からのデータ（シロアリが発生しているユーザー宅の位置座標データ、シロアリの種類を示すデータなど）に基づいて、前記広域エリアの地図の画面上に、シロアリが発生したユーザー宅毎に、例えば丸印を、そのシロアリの種類毎に異なる色で、表示する。図７はこの一例を示す図で、符号３５は例えばＡという種類のシロアリが発生したユーザー宅の場所を示す赤色の丸印、符号３６は例えばＢという種類のシロアリが発生したユーザー宅の場所を示す黄色の丸印、である。この画面を見ると、前前年から今年にかけて、画面の地図の左下のエリアにはＡという種類のシロアリがかなり多く発生し、画面の地図の右上のエリアにはＢという種類のシロアリが大量に発生していることが容易に分かる。よって、センター側の職員は、この画面を見るだけで、現在の発生状況と今後のシロアリの発生するエリアを、そのシロアリの種類毎に直感的に予想することができ、そのエリア内に居住しているユーザーや住民に対して、そのシロアリの種類に適した予防策や駆除策を提案することが容易にできるようになる。
【００４２】
また、図示は省略するが、本実施例１では、前記の図６の例と図７の例とを合わせた画面を表示することもできる。この場合は、前記データベース管理部１４は、前記地図データベース１６及び前記顧客データベース１７からのデータ（シロアリが発生しているユーザー宅の位置座標データ、シロアリ通報信号の受信日時＝発生日時データ、シロアリの種類データなど）に基づいて、前記広域エリアの地図の画面上に、シロアリが発生したユーザー宅毎に、例えば四角印か丸印か三角印を、その発生日時とシロアリの種類とで互いに異なる色で、表示する。すなわち、例えば、その年にＡという種類のシロアリが発生したユーザー宅の場所を示すときは赤色の四角の印、その年にＢという種類のシロアリが発生したユーザー宅の場所を示すときは黄色の四角の印、その年の前年にＡという種類のシロアリが発生したユーザー宅の場所を示す赤色の丸印、その年の前年にＢという種類のシロアリが発生したユーザー宅の場所を示す黄色の丸印、その年の前前年にＡというシロアリが発生したユーザー宅の場所を示す赤色の三角印、その年の前前年にＢというシロアリが発生したユーザー宅の場所を示す黄色の三角印を重ね表示する。よって、この画面を見ると、前前年から今年にかけて、どの種類のシロアリが集中的に発生している場所どこか、それは時系列的にどのように推移しているかを容易に知ることができる。よって、センター側の職員は、この画面を見るだけで、現在の発生状況と今後のＡ又はＢという種類のシロアリの発生するエリアを直感的に容易に予想することができ、そのエリア内に居住しているユーザーや住民に、その種類のシロアリに適した防除措置を提案することが容易にできるようになる。
【００４３】
以上、本発明の各実施例について説明したが、本発明及び本発明を構成する各構成要件は、それぞれ、前記の各実施例及び前記の各実施例を構成する各要素として述べたものに限定されるものではなく、様々な修正及び変更が可能であり、本発明は添付の特許請求の範囲及びその均等物の範囲内にある修正及び変形を含むものである。例えば、前記の実施例１では、前記送信部５と各シロアリセンサａ〜ｌとをバスライン６で並列に接続することにより、「各シロアリセンサａ〜ｌのいずれのシロアリセンサからシロアリに芯材が食されたことの信号が発せられたか」を、前記送信部５が認識してＬＥＤで告知できるようにしているが、本発明では、これに限られることなく、例えば、前記各シロアリセンサａ〜ｌにそれぞれ固有の識別データを保有させておき、前記シロアリセンサが前記シロアリ被害の発生を示す信号を発するとき、その信号を自らの識別データと一緒に送信部５に送るようにしてもよい。このようにしたときも、前記送信部５は、「各シロアリセンサａ〜ｌのいずれのシロアリセンサからシロアリに芯材が食されたことの信号が発せられたか」を認識することができる。
【００４４】
また、本発明では、センター側の顧客データベース１７に、各シロアリセンサａ〜ｌの識別データとその「ユーザー宅における各シロアリセンサａ〜ｌのそれぞれの位置又は方位の情報」を予め記録しておき、ユーザー宅でシロアリ被害が発生したとき、前記送信部５からシロアリ通報信号と一緒に「（複数のシロアリセンサａ〜ｌの中の）シロアリにより芯材が食されたシロアリセンサの識別データ」をセンター側に送信するように構成してもよい。なお、前記の予め顧客データベース１７に記録しておく「ユーザー宅における各シロアリセンサａ〜ｌのそれぞれの位置又は方位の情報」としては、例えば、前記ユーザー宅の各シロアリセンサａ〜ｌの、それぞれの、ユーザー宅の玄関に対する相対位置の情報（例えば玄関に向かって１ｍだけ右側などの相対位置情報）、絶対位置の情報（位置座標データ）、ユーザー宅の玄関に対する相対方位の情報（例えば玄関に対して前方かつ右斜め方向などの相対方位情報）、絶対方位の情報（東西南北の情報）などが、あり得る。そして、このように構成した場合は、センター側では、シロアリ被害が発生したときにユーザー側からシロアリ通報信号と共に送信されてくる「（複数のシロアリセンサａ〜ｌの中の）シロアリにより芯材が食されたシロアリセンサの識別データ」と、前記の予め顧客データベースに記録しておいた「ユーザー宅における各シロアリセンサａ〜ｌのそれぞれの位置又は方位の情報」とに基づいて、前記「（複数のシロアリセンサａ〜ｌの中の）シロアリにより芯材が食されたシロアリセンサ」のユーザー宅における埋め込み場所の方位又は位置の情報を容易に得ることができる。よって、センター側の職員は、ユーザー宅のどのシロアリセンサがある場所（その方位又は位置）でシロアリが発生したかを直ちに把握して、直ちに必要な防除処置を開始できるようになる。
【００４５】
また、前記実施例１に関して図６で説明した例では、シロアリ発生分布の推移を各年毎に色別表示するようにしたが、本発明ではこれに限られることなく、例えばシロアリ発生分布の推移を各季節毎（春夏秋冬毎に）に色別表示するようにしてもよい。
【図面の簡単な説明】
【００４６】
【図１】本発明の実施例１による全体構成を示す概略ブロック図。
【図２】本実施例１におけるシロアリセンサの構成及び動作を説明するための図。
【図３】本実施例１における送信部の機能の一つを説明するための図。
【図４Ａ】本実施例１において顧客データベースの出力画面の一例を示す図。
【図４Ｂ】図４Ａの出力画面から或る特定のユーザー宅のシロアリセンサの埋設場所の見取り図を顧客データベースから画面に呼び出したときの見取り図の画像の一例を示す図。
【図５】本実施例１においてシロアリ発生分布状況を地図上に表示したときの画面例を示す図。
【図６】本実施例１においてシロアリの発生分布の時系列的な推移を時期別に色分けして地図上に表示したときの画面例を示す図。
【図７】本実施例１においてシロアリの種類別の発生分布を種類別に色分けして地図上に表示したときの画面例を示す図。
【符号の説明】
【００４７】
１          ユーザー側
２          センター側
３          電話線
４          建物
５          送信部
６          バスライン
８          自動ダイヤラー
１１      ＣＴＩアダプタ
１２      電話機
１３      ＣＴＩ電話自動受付部
１４      データベース管理部
１５      入出力部
１６      地図データベース
１７      顧客データベース
２１      ケース
２２      蓋体
２３      芯材
２４ａ  上側支持部
２４ｂ  下側支持部
２５ａ，２５ｂ 固定部材
２６      スプリング
２７      光検知部
２８      遮蔽板
ａ〜ｌ  各シロアリセンサ
【図１】
2008161130.tif 000003
【図２】
2008161130.tif 000004
【図３】
2008161130.tif 000005
【図４Ａ】
2008161130.tif 000006
【図４Ｂ】
2008161130.tif 000007
【図５】
2008161130.tif 000008
【図６】
2008161130.tif 000009
【図７】
2008161130.tif 000010